(57)【特許請求の範囲】
【請求項１】
電子機器に設けた機器側コネクタと、ケーブルに設けたケーブル側コネクタとの、相互の接続状態を維持するためのコネクタ抜け止め構造であって、
前記電子機器を設置面に取り付けるための取り付け手段に、前記機器側コネクタ又は前記ケーブル側コネクタの少なくとも一方の一側方に延出するコネクタカバーを設け、
前記機器側コネクタ又は前記ケーブル側コネクタには、これら相互の接続の解除操作を行うための解除手段を設け、
前記コネクタカバーにて、前記解除手段の少なくとも一側面を略覆い、
前記コネクタカバーと前記解除手段の少なくとも一部との相互の間隔が、ユーザが当該解除手段を保持できない間隔となるように、前記コネクタカバーと前記解除手段とを近接して配置し、
前記取り付け手段を、前記電子機器をその外側から略覆う取り付けカバーとして構成し、
前記コネクタカバーを、前記取り付けカバーに一体に形成し、
前記取り付けカバーを、前記電子機器に略対応した形状の中空方形体にて形成し、
前記取り付けカバーの前記設置面側の側面を開放状とし、
前記開放状とした側面を介して前記取り付けカバーの内部に前記電子機器を収容することにより、前記取り付けカバーによって前記電子機器をその外側から略覆うことを可能とすると共に、前記コネクタカバーによって前記解除手段をその外側から略覆うことを可能とし、
前記取り付けカバーによって前記電子機器を略覆うと共に、前記コネクタカバーによって前記解除手段を略覆った状態で、前記取り付けカバーを前記設置面に固定可能とした、
コネクタ抜け止め構造。
【請求項２】
電子機器に設けた機器側コネクタと、ケーブルに設けたケーブル側コネクタとの、相互の接続状態を維持するためのコネクタ抜け止め構造であって、
前記電子機器を設置面に取り付けるための取り付け手段に、前記機器側コネクタ又は前記ケーブル側コネクタの少なくとも一方の一側方に延出するコネクタカバーを設け、
前記機器側コネクタ又は前記ケーブル側コネクタには、これら相互の接続の解除操作を行うための解除手段を設け、
前記コネクタカバーにて、前記解除手段の少なくとも一側面を略覆い、
前記コネクタカバーと前記解除手段の少なくとも一部との相互の間隔が、ユーザが当該解除手段を保持できない間隔となるように、前記コネクタカバーと前記解除手段とを近接して配置し、
前記コネクタカバーは、
前記機器側コネクタを挿通するカバーベースと、
前記カバーベースに着脱自在に取り付けられることにより、前記機器側コネクタと前記ケーブル側コネクタとの相互の接続箇所を略覆うカバーキャップとを備える、
コネクタ抜け止め構造。
【請求項３】
前記カバーキャップを、前記接続箇所に略対応した形状の中空箱状体にて形成し、
前記カバーキャップにおける前記コネクタカバーの延出方向に略直交する側面を開放状とし、
前記開放状とした側面を介して前記カバーキャップの内部に前記接続箇所を収容することにより、前記カバーキャップによって前記接続箇所をその外側から略覆うことを可能とし、
前記カバーキャップの側面のうち、前記開放状とした側面以外の一側面には、当該カバーキャップに前記ケーブルを挿通させるためのスリットを形成した、
請求項２に記載のコネクタ抜け止め構造。
【発明の詳細な説明】
【技術分野】
【０００１】
本発明は、光受信機等の各種の電子機器に設けた機器側コネクタと、ケーブルに設けたケーブル側コネクタとの、相互の接続状態を維持するためのコネクタ抜け止め構造に関する。
【背景技術】
【０００２】
近年のインターネットの拡大による情報流通量の急速な増加に対応して、光ファイバを使った家庭向けのデータ通信サービスであるＦＴＴＨ（Fiber To The Home）が一般家庭に急速に普及しつつある。このＦＴＴＨにおいては、光ファイバが、屋外用光受信機を介して一般家屋等の屋内に引き込まれ、この屋内に設置された屋内用光受信機（ＯＮＵ：Optical Network Unit）に接続される。そして、この屋内用光受信機を介して中継された通信データが、家庭内のパソコンやＴＶ等の各機器に伝送される。
【０００３】
このような伝送システムにおいて、屋内に引き込まれた光ファイバと屋内用光受信機とにはそれぞれ光コネクタが設けられており、これら光コネクタを相互に着脱自在に接続することによって、光ファイバと屋内用光受信機との接続を行っている。従って、通信機能を維持するためには、これら光コネクタの接続状態を維持することが必要になる。また、光ファイバから出射される光をユーザが直視すると目に損傷を受ける可能性があるため、安全性の観点からも、光コネクタの接続状態を維持することが好ましい。特に、屋内用光受信機は、屋内の人手に触れ易い所に設置されるため、不用意に光コネクタが引き抜かれることを防止するための構造が求められる。
【０００４】
このような光コネクタの抜け止め構造は、例えば、特開２００５−１１５００５号公報に開示されている。この構造は、段落００３３及び図４に示すように、上流光ケーブル１１と下流光ケーブル１２とを、芯線押え部５７と押さえ金具５９とで把持固定することで、上流光ケーブル１１及び下流光ケーブル１２に対して不用意な引張り力が作用した場合にも、プラグ１３、１５が脱落すること等を防止している（特許文献１参照）。
【０００５】
また、ＵＳＢコネクタに関するものとして、例えば、特開２００４−２２４６９号公報には、ＵＳＢコネクタ４の近傍のＵＳＢケーブル５を、ＵＳＢケーブル固定ガイド１ｃ、２ｃによってクランク状に固定する構造が開示されている（特許文献２参照）。
【０００６】
【特許文献１】特開２００５−１１５００５号公報
【特許文献２】特開２００４−２２４６９号公報
【発明の開示】
【発明が解決しようとする課題】
【０００７】
しかしながら、このような従来のコネクタ抜け止め構造は、直接的にはケーブルの引っ張りを防止するものであり、その間接的な効果としてコネクタの抜けを防止するものにすぎず、コネクタの動きを直接的に規制するものではなかった。従って、実際には、コネクタを直接保持して引っ張ることが可能であり、コネクタの抜けを完全に防止することができなかった。
【０００８】
また、これら従来のコネクタ抜け止め構造において、抜け止め用の部品（上述の押さえ金具５９やＵＳＢケーブル固定ガイド１ｃ、２ｃ）は、抜け止め専用の独立した部品として構成されていたので、この部品のみをユーザが取り外すことが比較的容易であるために、いたずらを確実に防止することが困難であった。また、この部品をネジ止め等にて筐体１１に取付ける必要があるために、機器の設置作業効率を低下させていた。さらには、部品の取り付けを忘れる場合があるという問題があった。
【０００９】
本発明は、上記に鑑みてなされたものであって、コネクタの抜けを確実に防止することができ、容易に設置可能な、コネクタ抜け止め構造を提供することを目的とする。
【課題を解決するための手段】
【００１０】
上述した課題を解決し、目的を達成するために、請求項１に記載のコネクタ抜け止め構造は、電子機器に設けた機器側コネクタと、ケーブルに設けたケーブル側コネクタとの、相互の接続状態を維持するためのコネクタ抜け止め構造であって、前記電子機器を設置面に取り付けるための取り付け手段に、前記機器側コネクタ又は前記ケーブル側コネクタの少なくとも一方の一側方に延出するコネクタカバーを設け、前記機器側コネクタ又は前記ケーブル側コネクタには、これら相互の接続の解除操作を行うための解除手段を設け、前記コネクタカバーにて、前記解除手段の少なくとも一側面を略覆い、前記コネクタカバーと前記解除手段の少なくとも一部との相互の間隔が、ユーザが当該解除手段を保持できない間隔となるように、前記コネクタカバーと前記解除手段とを近接して配置し、前記取り付け手段を、前記電子機器をその外側から略覆う取り付けカバーとして構成し、前記コネクタカバーを、前記取り付けカバーに一体に形成し、前記取り付けカバーを、前記電子機器に略対応した形状の中空方形体にて形成し、前記取り付けカバーの前記設置面側の側面を開放状とし、前記開放状とした側面を介して前記取り付けカバーの内部に前記電子機器を収容することにより、前記取り付けカバーによって前記電子機器をその外側から略覆うことを可能とすると共に、前記コネクタカバーによって前記解除手段をその外側から略覆うことを可能とし、前記取り付けカバーによって前記電子機器を略覆うと共に、前記コネクタカバーによって前記解除手段を略覆った状態で、前記取り付けカバーを前記設置面に固定可能とした。
【００１１】
請求項２に記載のコネクタ抜け止め構造は、電子機器に設けた機器側コネクタと、ケーブルに設けたケーブル側コネクタとの、相互の接続状態を維持するためのコネクタ抜け止め構造であって、前記電子機器を設置面に取り付けるための取り付け手段に、前記機器側コネクタ又は前記ケーブル側コネクタの少なくとも一方の一側方に延出するコネクタカバーを設け、前記機器側コネクタ又は前記ケーブル側コネクタには、これら相互の接続の解除操作を行うための解除手段を設け、前記コネクタカバーにて、前記解除手段の少なくとも一側面を略覆い、前記コネクタカバーと前記解除手段の少なくとも一部との相互の間隔が、ユーザが当該解除手段を保持できない間隔となるように、前記コネクタカバーと前記解除手段とを近接して配置し、前記コネクタカバーは、前記機器側コネクタを挿通するカバーベースと、前記カバーベースに着脱自在に取り付けられることにより、前記機器側コネクタと前記ケーブル側コネクタとの相互の接続箇所を略覆うカバーキャップとを備える。
【００１２】
請求項３に記載のコネクタ抜け止め構造は、請求項２に記載のコネクタ抜け止め構造において、前記カバーキャップを、前記接続箇所に略対応した形状の中空箱状体にて形成し、前記カバーキャップにおける前記コネクタカバーの延出方向に略直交する側面を開放状とし、前記開放状とした側面を介して前記カバーキャップの内部に前記接続箇所を収容することにより、前記カバーキャップによって前記接続箇所をその外側から略覆うことを可能とし、前記カバーキャップの側面のうち、前記開放状とした側面以外の一側面には、当該カバーキャップに前記ケーブルを挿通させるためのスリットを形成した。
【発明の効果】
【００１７】
請求項１に記載のコネクタ抜け止め構造によれば、機器側コネクタ又はケーブル側コネクタの少なくとも一方の一側方に延出するコネクタカバーを設けたので、従来のようにケーブルの引っ張りを防止するのではなく、機器側コネクタ又はケーブル側コネクタの動きを直接的に規制することができ、光ファイバの抜けを一層確実に防止できる。さらに、コネクタカバーを取り付け手段に形成しており、従来のように独立した抜け止め用の部品を用いていないので、コネクタカバーのみをユーザが取り外すことは不可能であるためにいたずら等による光ファイバの引き抜きを一層確実に防止できると共に、光受信機の設置作業効率を向上させることができ、さらには、コネクタカバーの取り付け忘れを防止できる。
また、電子機器をその外側から略覆う取り付けカバーにコネクタカバーを設けたので、電子機器を略覆った取り付けカバーを設置面に固定することで、機器側コネクタ又はケーブル側コネクタの少なくとも一方をコネクタカバーにてカバーでき、電子機器の固定とコネクタの離脱防止とを同時に行うことができて、光受信機の設置作業効率を向上させることができると共に、コネクタカバーの取り付け忘れを防止できる。
【００１８】
また、請求項２に記載のコネクタ抜け止め構造によれば、機器側コネクタ又はケーブル側コネクタの少なくとも一方の一側方に延出するコネクタカバーを設けたので、従来のようにケーブルの引っ張りを防止するのではなく、機器側コネクタ又はケーブル側コネクタの動きを直接的に規制することができ、光ファイバの抜けを一層確実に防止できる。さらに、コネクタカバーを取り付け手段に形成しており、従来のように独立した抜け止め用の部品を用いていないので、コネクタカバーのみをユーザが取り外すことは不可能であるためにいたずら等による光ファイバの引き抜きを一層確実に防止できると共に、光受信機の設置作業効率を向上させることができ、さらには、コネクタカバーの取り付け忘れを防止できる。
また、カバーベースとカバーキャップとを用いて、機器側コネクタとケーブル側コネクタとの相互の接続箇所を略覆うことができるので、この接続箇所にユーザがアクセスすることが困難になるため、光ファイバの抜けを確実に防止できる。
【発明を実施するための最良の形態】
【００２４】
以下に添付図面を参照して、この発明に係るコネクタ抜け止め構造の各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００２５】
〔I〕各実施の形態に共通の基本的概念
まず、各実施の形態に共通の基本的概念について説明する。本発明は、電子機器に設けた機器側コネクタとケーブルに設けたケーブル側コネクタとの相互の接続状態を維持するためのコネクタ抜け止め構造に関する。ここで、電子機器には、ケーブルを固定する必要が生じ得る全ての機器が該当し、例えば、上述した光受信機や、監視領域の異常を検出する火災感知器、あるいは、監視領域の人の存在を検出する人感センサを含む。また、ケーブルの種類や構成も任意であり、上述した光ファイバの如き通信ケーブルの他、電力を供給する電源ケーブルを含む。以下の各実施の形態においては、屋内用光受信機に光ファイバや電源ケーブルを接続する場合について説明する。さらに、コネクタの具体的構造も任意であり、オス型端子とメス型端子との接触により接続を確立する端子、マグネットプラグをも含む。
【００２６】
各実施の形態では、電子機器を設置面に取り付けるための取り付け手段に、コネクタカバーを設けている。従って、屋内用光受信機を取り付け手段を介して設置面に取り付けるだけで、コネクタカバーによる抜け止め構造を確立でき、その設置作業が極めて容易である。また、屋内用光受信機を設置面から取り外さない限り、コネクタカバーを取り外すことができないので、コネクタの引き抜きを確実に防止できる。
【００２７】
このコネクタカバーによる抜け止め構造は、従来のようにケーブルの引張りを防止するのではなく、コネクタの動きを直接的に規制するように構成されている。具体的には、コネクタカバーを、機器側コネクタ又はケーブル側コネクタの少なくとも一方の一側方に延出することで、コネクタカバーによるユーザのアクセスを制限している。従って、コネクタを直接保持して引っ張ることが困難になり、コネクタの抜けを一層確実に防止できる。
【００２８】
〔II〕各実施の形態の具体的内容
以下に添付図面を参照して、各実施の形態の具体的内容について詳細に説明する。
【００２９】
〔実施の形態１〕
まず、実施の形態１について説明する。この実施の形態１は、取り付けベースにコネクタカバーを設けた形態であって、このコネクタカバーをケーブル側コネクタの離脱方向の前面に延在させた形態である。図１は実施の形態１に係る屋内用光受信機の全体斜視図、図２は屋内用光受信機を示す図であって、（ａ）は正面図、（ｂ）は側面図、（ｃ）は底面図、図３は屋内用光受信機の分解斜視図である。これら各図に示すように、屋内用光受信機１は、受信機本体１０と、取り付けベース２０とを備えて構成されており、受信機本体１０には、光ファイバＣ１及び同軸ケーブルＣ２が接続されている。なお、以下の説明においては、図１のＸ方向を高さ方向、Ｙ方向を幅方向、Ｚ方向を厚み方向と称する。また、Ｘ方向のうち、光ファイバＣ１を受信機本体１０から離脱させる方向を離脱方向と称する。
【００３０】
受信機本体１０は、筐体１１の内部に図示しない光電変換部を収めて構成されている。この筐体１１の底面には、光ファイバＣ１を着脱自在に接続するためのアダプタ１２と、同軸ケーブルＣ２を着脱自在に接続するための接続端子１３とが設けられている。そして、光ファイバＣ１から光信号が入力されると、この光信号が図示しない光電変換部にて電気信号に変換され、同軸ケーブルＣ２に出力される。
【００３１】
ここで、アダプタ１２は、光ファイバＣ１の端部に設けられたプラグ３０を着脱自在に接続するものである。すなわち、アダプタ１２は特許請求の範囲における機器側コネクタに対応し、プラグ３０は特許請求の範囲におけるケーブル側コネクタに対応する。これらアダプタ１２及びプラグ３０の具体的構造は任意であるが、本実施の形態１におけるアダプタ１２及びプラグ３０は、ＪＩＳ５９７３にて規格化されているＦ０４形単心光ファイバＣ１コネクタ（ＳＣ型コネクタ）を構成するものであり、いわゆるスライドロック構造によるプッシュオン形締結構造を有する。具体的には、アダプタ１２は、その内部に図示しないツメを備えて構成されており、一方のプラグ３０は、ツマミ３１の内部に図示しないプラグフレームをスライド自在に収めて構成されている。そして、アダプタ１２にプラグ３０を押し込むと、このプラグ３０のツマミ３１によってツメが押し広げられ、更にプラグ３０を押込むことでツメがプラグフレームの突起にロックして結合する。このロック状態では、ツメがプラグフレームの突起に係止しているので、単に光ファイバＣ１を離脱方向に引っ張っても、プラグ３０をアダプタ１２から引き抜くことができない。しかし、ツマミ３１を保持して離脱方向に引っ張ると、このツマミ３１がプラグフレームに対してスライドしながらアダプタ１２のツメを押し広げてロックを解除させるので、プラグ３０をアダプタ１２から引き抜くことが可能になる。
【００３２】
次に、取り付けベース２０について説明する。この取り付けベース２０は、図３に示すように、光受信機本体１０と図示しない設置面との相互間に介在されるものであって、これら光受信機本体１０と設置面との両方に固定される金属板である。図４は、取り付けベース２０を示す図であり、（ａ）は正面図、（ｂ）は底面図である。この取り付けベース２０は、受信機本体１０に略対応する幅及び高さを有する平板状に形成されている。この取り付けベース２０には、複数のネジ孔２１が穿設されており、このネジ孔２１に取り付けネジ２２を挿通させて設置面にネジ込むことで、取り付けベース２０を設置面に固定できる。また、取り付けベース２０の側部には係止爪２３が一体に形成されており、この係止爪２３を、受信機本体１０の背面に形成した図示しない取付け穴に係脱自在に係止させることで、取り付けベース２０に受信機本体１０を係止固定できる。また、取り付けベース２０には、当該取り付けベース２０から略直交状に屈曲され、受信機本体１０の底面に対して略平行に当接する固定片２４が設けられており、図３に示すように、この固定片２４に穿設されたネジ孔２５に取り付けネジ２６を挿通させて受信機本体１０の筐体１１の底面に形成したネジ穴１４にネジ込むことで、取り付けベース２０を受信機本体１０にネジ固定できる。このように、取り付けベース２０は、係止爪２３による係止固定と、固定片２４によるネジ固定との、２つの固定構造により、受信機本体１０に固定されている。
【００３３】
また、取り付けベース２０には、コネクタカバー２７が形成されている。このコネクタカバー２７は、プラグ３０をスライド不能とすることによって、このプラグ３０のアダプタ１２からの離脱を防止するもので、延出片２７ａと規制片２７ｂとを備えて構成されている。このうち、延出片２７ａは、取り付けベース２０から略平行に延出されたもので、アダプタ１２に接続されたプラグ３０の背面を略覆い、さらにこのプラグ３０の下端に至るように形成されている。また、規制片２７ｂは、延出片２７ａからプラグ３０に向けて略直交するように屈曲されたもので、その先端は、プラグ３０の離脱方向の前方に延在されている。より具体的には、規制片２７ｂは、プラグ３０のツマミ３１と光ファイバＣ１との相互の接続箇所に近接する位置に配置されており、ツマミ３１と規制片２７ｂとの相互の間隔Ｌ１（図２の（ａ）参照）は、プラグ３０をアダプタ１２から離脱させるために必要なツマミ３１のスライド量よりも小さくなるように決定されている。従って、プラグ３０を保持して離脱方向にスライドさせようとしても、この規制片２７ｂが障害になってプラグ３０を十分にスライドできないため、プラグ３０がアダプタ１２から離脱することが防止される。
【００３４】
ここで、規制片２７ｂには開口部２７ｃが形成されている。この開口部２７ｃは、光ファイバＣ１を挿通させるための挿通手段であり、プラグ３０から離脱方向に沿って延びる光ファイバＣ１が開口部２７ｃに挿通されることで、この光ファイバＣ１の敷設が規制片２７ｂによって妨げられることがない。なお、このように構成されたコネクタカバー２７は、取り付けベース２０に対して別体に形成して溶着等することもできるが、ここではプレス加工にて取り付けベース２０と一体に形成されており、取り付けベース２０の製造効率の向上が図られている。
【００３５】
このような取り付けベース２０を用いた光ファイバＣ１の抜け止め構造は、下記のように施工される。すなわち、図３に示すように、取り付けベース２０を、取り付けネジ２２を用いて設置面に固定する。また、この取り付けベース２０の固定の前後いずれかにおいて、受信機本体１０のアダプタ１２にプラグ３０を接続する。そして、この受信機本体１０を取り付けベース２０に係止固定する。この作業を行うことで、自動的に、取り付けベース２０と一体に形成されたコネクタカバー２７の規制片２７ｂが、プラグ３０の離脱方向の前面を略覆う位置に配置されることになり、アダプタ１２からのプラグ３０の離脱が防止される。そして、固定片２４に取り付けネジ２６を挿通させて受信機本体１０の筐体１１にネジ込むことで、取り付けベース２０を受信機本体１０にネジ固定する。この作業を行うことで、取り付けベース２０を受信機本体１０から取り外すことが一層困難になり、その結果として、規制片２７ｂを取り外すことが困難になるので、アダプタ１２からのプラグ３０の離脱を一層確実に防止できる。
【００３６】
（実施の形態１の効果）
このように実施の形態１によれば、取り付けベース２０の規制片２７ｂをプラグ３０の離脱方向の前方を略覆う位置に延在させているので、この規制片２７ｂが障害になってプラグ３０をスライドできないため、プラグ３０がアダプタ１２から離脱することが防止される。特に、従来のように光ファイバＣ１の引っ張りを防止するのではなく、プラグ３０の動きを規制片２７ｂによって直接的に規制することができるので、プラグ３０の抜けを一層確実に防止できる。また、規制片２７ｂに開口部２７ｃを形成したので、光ファイバＣ１の敷設が規制片２７ｂによって妨げられることがない。さらに、規制片２７ｂを取り付けベース２０と一体に形成しており、従来のように独立した抜け止め用の部品を用いていないので、規制片２７ｂのみをユーザが取り外すことは不可能であるためにいたずら等によるプラグ３０の引き抜きを一層確実に防止できると共に、屋内用光受信機１の設置作業効率を向上させることができ、さらには、規制片２７ｂの取り付け忘れを防止できる。また、取り付けベース２０に対する受信機本体１０の固定を、係止固定とネジ固定という複数の固定方法で行っているので、取り付けベース２０から受信機本体１０を取り外すことが一層困難になり、プラグ３０の引き抜きを一層確実に防止できる。
【００３７】
〔実施の形態２〕
次に、実施の形態２の具体的内容について説明する。この実施の形態２は、取り付けベースにコネクタカバーを設けた形態であって、コネクタ接続の解除操作を行うための解除手段の一部をコネクタカバーにて覆った形態である。なお、実施の形態２の構成は、特記する場合を除いて実施の形態１の構成と略同一であり、実施の形態１の構成と略同一の構成については、この実施の形態１で用いたのと同一の符号を必要に応じて付してその説明を省略する。
【００３８】
図５は実施の形態２に係る屋内用光受信機の全体斜視図、図６は屋内用光受信機を示す図であって、（ａ）は正面図、（ｂ）は側面図、（ｃ）は底面図、図７は屋内用光受信機の分解斜視図、図８は取り付けベースを示す図であり、（ａ）は正面図、（ｂ）は底面図である。これら各図に示すように、屋内用光受信機２は、受信機本体１０と、取り付けベース４０とを備えて構成されており、この取り付けベース４０には、コネクタカバー４１が形成されている。このコネクタカバー４１は、延出片４１ａと一対の規制片４１ｂとを備えて構成されている。このうち、延出片４１ａは、実施の形態１と同様に、取り付けベース４０から略平行に延出されたもので、アダプタ１２に接続されたプラグ３０の背面を略覆うように形成されている。また、一対の規制片４１ｂは、延出片４１ａの両側方からプラグ３０に向けて略直交するように屈曲されたもので、ツマミ３１の両側面を略覆うように形成されている。
【００３９】
これら延出片４１ａ及び規制片４１ｂの効果は以下の通りである。すなわち、上述のように、ＳＣ型コネクタにおいては、ツマミ３１を保持して離脱方向に引っ張ることにより、プラグ３０をアダプタ１２から引き抜くことが可能になる。従って、ツマミ３１は、アダプタ１２とプラグ３０との相互の接続の解除操作を行うための解除手段として機能することになる。そこで本実施の形態２においては、解除手段であるツマミ３１をユーザが指等にて保持することを困難にするため、このツマミ３１の底面を延出片４１ａにて覆うと共に、ツマミ３１の側面を規制片４１ｂにて覆っている。つまり、延出片４１ａにてツマミ３１の底面を覆うことで、ツマミ３１を厚み方向から指等にて保持することを困難とし、規制片４１ｂにてツマミ３１の側面を覆うことで、ツマミ３１を幅方向から指等にて保持することを困難としている。
【００４０】
特に、ツマミ３１を保持困難とする方が、実施の形態１のようにプラグ３０をスライド困難とするよりも、光ファイバＣ１の抜け止めとして事実上有効な場合がある。すなわち、実施の形態１においては、規制片２７ｂをツマミ３１の前方の極めて近傍位置に配置するかツマミ３１に完全に当接させない限り、このツマミ３１を保持して離脱方向に若干スライドさせることが可能になり、実際にはプラグ３０を取り外すことが可能になってしまう場合がある。しかしながら、このような位置に規制片２７ｂを配置することは、その製造誤差や取り付けに必要なスペースを考慮すると事実的には困難である。これに対して本実施の形態２では、上述のようにツマミ３１を保持困難とすることで光ファイバＣ１の抜け止めを行っているので、延出片４１ａや規制片４１ｂとツマミ３１との間隔が比較的広い場合であっても、これらの相互間にユーザが指等を入れてツマミ３１を保持できない限り、光ファイバＣ１の抜けを防止できる。
【００４１】
ただし、このようにツマミ３１の保持を困難にするためには、ツマミ３１の両側方を覆う必要は必ずしもなく、少なくとも一方を覆うことができればよい。例えば、延出片４１ａにてツマミ３１の底面のみを覆う一方で、ツマミ３１の上面は開放状としているが、この場合においても、底面が覆われることで、ツマミ３１を上下から保持することが困難になる。従って、一対の規制片４１ｂのいずれか一方を省略してもよい。これらのことから、ツマミ３１を厚み方向及び幅方向から保持困難にするためには、上面又は底面のいずれか一方を覆うと共に、これら上面又は底面に直交する側面のいずれか一方（すなわち右側面又は左側面のいずれか一方）を覆えばよい。なお、このようにいずれかの側面を覆う場合において、当該側面の全面を覆う必要は必ずしもなく、その一部のみを覆うことで、ツマミ３１の保持を困難にすることができる。
【００４２】
（実施の形態２の効果）
このように実施の形態２によれば、実施の形態１と同様の効果に加えて、アダプタ１２とプラグ３０との相互の接続の解除操作を行うための解除手段であるツマミ３１を保持困難としているので、光ファイバＣ１の抜けを防止できる。また、このようにツマミ３１を保持困難とすることで光ファイバＣ１の抜け止めを行っているので、延出片４１ａや規制片４１ｂとツマミ３１との間隔が比較的広い場合であっても、これらの相互間にユーザが指等を入れてツマミ３１を保持できない限り、光ファイバＣ１の抜けを防止できる。
【００４３】
〔実施の形態３〕
次に、実施の形態３の具体的内容について説明する。この実施の形態３は、取り付けベースにコネクタカバーを設けた形態であって、コネクタ接続箇所をコネクタカバーにて略完全に覆った形態である。なお、実施の形態３の構成は、特記する場合を除いて実施の形態１の構成と略同一であり、実施の形態１の構成と略同一の構成については、この実施の形態１で用いたのと同一の符号を必要に応じて付してその説明を省略する。
【００４４】
図９は実施の形態３に係る屋内用光受信機の全体斜視図、図１０は屋内用光受信機を示す図であって、（ａ）は正面図、（ｂ）は側面図、（ｃ）は底面図、図１１は屋内用光受信機の分解斜視図、図１２は取り付けベースを示す図であり、（ａ）は正面図、（ｂ）は底面図である。これら各図に示すように、屋内用光受信機３は、受信機本体１０と、取り付けベース５０とを備えて構成されている。この取り付けベース５０には、カバーベース５１が設けられており、このカバーベース５１には、カバーキャップ５２が着脱自在に取り付けられている。
【００４５】
このうち、カバーベース５１は、実施の形態２の規制片４１ｂと同様に、アダプタ１２の両側方に延出された一対の板状体であり、その幅方向の外側面には、外側に向けて突出する係止突起５１ａが設けられている。一方、カバーキャップ５２は、アダプタ１２及びプラグ３０に加えてさらにカバーベース５１を略覆う中空箱状体である。このカバーキャップ５２には、係止突起５１ａに対応する位置及び形状にて開口部５２ａが形成されており、この開口部５２ａに係止突起５１ａを係脱自在に係止させることで、カバーキャップ５２をカバーベース５１に取り付けることができる。この状態においては、アダプタ１２及びプラグ３０の側方が全周に渡って略完全に覆われるので、光ファイバＣ１の抜けを防止できる。また、カバーキャップ５２の一側面には、当該カバーキャップ５２に光ファイバＣ１を挿通させるためのスリット５２ｂが形成されている。従って、アダプタ１２にプラグ３０を接続した後で、カバーベース５１にカバーキャップ５２を取り付ける際、このスリット５２ｂに光ファイバＣ１を挿通させることができる。
【００４６】
このような取り付けベース５０を用いた光ファイバＣ１の抜け止め構造は、下記のように施工される。まず、実施の形態１と同様に、取り付けベース５０を設置面に固定し、受信機本体１０のアダプタ１２にプラグ３０を接続し、さらに、受信機本体１０を取り付けベース５０に係止固定する。その後、カバーベース５１にカバーキャップ５２を取り付ける。この作業は、カバーキャップ５２のスリット５２ｂに光ファイバＣ１を挿通させることで、カバーキャップ５２の内部に光ファイバＣ１を通した後、このカバーキャップ５２の係止突起５１ａをカバーベース５１の開口部５２ａに係止させることが行うことができる。なお、カバーキャップ５２の取り外しは、係止突起５１ａをカバーベース５１の外側から内側に向けて押圧し、この係止突起５１ａによる係止を解除することで行うことができる。
【００４７】
（実施の形態３の効果）
このように実施の形態３によれば、アダプタ１２及びプラグ３０の側方が全周に渡って略完全に覆われるので、光ファイバＣ１の抜けを確実に防止できる。また、スリット５２ｂを介して光ファイバＣ１を挿通できるので、受信機本体１０のアダプタ１２にプラグ３０を接続した後においても、カバーキャップ５２の取り付けを行うことができる。
【００４８】
〔実施の形態４〕
次に、実施の形態４の具体的内容について説明する。この実施の形態４は、取り付けカバーにコネクタカバーを設けた形態であって、コネクタ接続箇所をコネクタカバーにて略完全に覆った形態である。なお、実施の形態４の構成は、特記する場合を除いて実施の形態１の構成と略同一であり、実施の形態１の構成と略同一の構成については、この実施の形態１で用いたのと同一の符号を必要に応じて付してその説明を省略する。
【００４９】
図１３は実施の形態４に係る屋内用光受信機の全体斜視図、図１４は屋内用光受信機を示す図であって、（ａ）は正面図、（ｂ）は側面図、（ｃ）は底面図、（ｄ）は上面図、図１５は底面側から見た屋内用光受信機の分解斜視図、図１６は上面側から見た屋内用光受信機の分解斜視図、図１７は取り付けカバーを示す図であり、（ａ）は正面図、（ｂ）は側面図、（ｃ）は底面図、（ｄ）は（ａ）のＡ−Ａ矢視断面図、（ｅ）は上面図である。これら各図に示すように、屋内用光受信機４は、受信機本体１０と、取り付けカバー６０とを備えて構成されている。
【００５０】
図１６に示すように、受信機本体１０の上面には、電源アダプタ１５が埋設状に設けられている。一方、電源ケーブルＣ３の端部には、電源プラグ７０が設けられている。そして、後述するコネクタカバー６３がない状態においては、電源アダプタ１５に対して、電源プラグ７０を図１４（ａ）に示す離脱方向に沿って移動させることで、電源アダプタ１５に電源プラグ７０を着脱できる。
【００５１】
取り付けカバー６０は、カバー本体６１と、コネクタカバー６２、６３とを備えて構成されている。カバー本体６１は、受信機本体１０に略対応した形状の中空方形体であり、その背面を開放状とされており、このカバー本体６１を受信機本体１０に外側（正面側）から被せることにより、このカバー本体６１にて受信機本体１０を略覆うことができる。また、図１７（ｄ）に示すように、カバー本体６１の内側下端には、受信機本体１０に向けて突出する係止爪６１ａが形成されており、この係止爪６１ａを受信機本体１０の背面に係脱自在に係止させることで、取り付けカバー６０を受信機本体１０に係止固定できる。
【００５２】
このカバー本体６１の底面には、接続端子１３に対応する位置及び形状で、背面側に開口を有するスリット６１ｂが形成されており、取り付けカバー６０を受信機本体１０に取り付ける際に、このスリット６１ｂに接続端子１３を背面側から挿通することができる。また、カバー本体６１の底面には、背面側に開口を有するスリット６１ｃが形成されており、取り付けネジ２６を、スリット６１ｃに挿通させ、受信機本体１０の筐体１１の底面に形成したネジ穴１４にネジ込むことで、取り付けカバー６０を受信機本体１０にネジ固定できる。さらに、カバー本体６１の底面には、設置面に沿って延びる固定片６１ｄが形成されており、取り付けネジ２２を、この固定片６１ｄに設けられたネジ孔６１ｅに挿通させ、設置面にネジ込むことで、取り付けカバー６０を設置面にネジ固定できる。
【００５３】
一方、カバー本体６１の上面には、電源プラグ７０に対応する位置及び形状で、背面側に開口を有するスリット６１ｆが形成されており、取り付けカバー６０を受信機本体１０に取り付ける際に、このスリット６１ｆに電源プラグ７０を背面側から挿通できる。また、カバー本体６１の上面には、設置面に沿って延びる固定片６１ｇが形成されており、取り付けネジ２２を、この固定片６１ｇに設けられたネジ孔６１ｈに挿通させ、設置面にネジ込むことで、取り付けカバー６０を設置面にネジ固定できる。なお、このような構造の取り付けカバー６０の具体的製造方法は任意であるが、例えば、モールドにて一体成型することで、容易に製造を行うことができる。
【００５４】
次に、コネクタカバー６２、６３について説明する。コネクタカバー６２は、アダプタ１２とプラグ３０との相互の離脱を防止するためのもので、カバー本体６１の底面に一体に形成されている。このコネクタカバー６２は、底面形状を略コ字状とされ、正面又は左右に延出する３つの規制片６２ａ〜６２ｃを備えて構成されている。このうち、規制片６２ａは、アダプタ１２及びプラグ３０の正面を略完全に覆うように形成されている。また、規制片６２ｂ、６２ｃは、アダプタ１２及びプラグ３０の左右の側面を略完全に覆うように形成されている。従って、このコネクタカバー６２にて、アダプタ１２及びプラグ３０の露出面のうち、設置面にて覆われる背面以外の３面全てをカバーでき、これらアダプタ１２及びプラグ３０に対するユーザの接触を防止できる。
【００５５】
一方、コネクタカバー６３は、電源アダプタ１５と電源プラグ７０との相互の離脱を防止するためのもので、カバー本体６１の上面に一体に形成されている。このコネクタカバー６３は、略Ｌ字状に形成され、正面又は上面に延出する２つの規制片６３ａ、６３ｂを備えて構成されている。このうち、規制片６３ａは、電源プラグ７０の正面の少なくとも一部を覆うように形成されている。また、規制片６３ｂは、規制片６３ａの先端から背面に向けて屈曲されたもので、電源プラグ７０の離脱方向への前方に延在され、この電源プラグ７０の上面の少なくとも一部を覆う。従って、このコネクタカバー６３にて、電源プラグ７０の露出面のうち、正面及び上面をカバーでき、この電源プラグ７０に対する接触を防止できる。また、規制片６３ｂが電源プラグ７０の離脱方向への前方に延在されているので、電源プラグ７０が離脱方向へ引っ張られることを防止できる。
【００５６】
このような取り付けカバー６０を用いた抜け止め構造は、下記のように施工される。すなわち、図１５、１６に示すように、取り付けカバー６０のカバー本体６１を受信機本体１０に外側から被せ、カバー本体６１の係止爪６１ａを受信機本体１０の背面に係止させることで、取り付けカバー６０を受信機本体１０に仮固定できる。この作業を行うことで、自動的に、コネクタカバー６２がアダプタ１２及びプラグ３０を略覆ってその離脱を防止し、また同時に、コネクタカバー６３が電源プラグ７０を略覆ってその離脱を防止する。この状態から、さらに取り付けネジ２６を取り付けカバー６０の底面から受信機本体１０にネジ込むことで、取り付けカバー６０を受信機本体１０に確実にネジ固定できる。その後、取り付けネジ２２を、取り付けカバー６０の上下の固定片６１ｄ、６１ｇを介して設置面にネジ込むことで、取り付けカバー６０を設置面にネジ固定でき、このことによって受信機本体１０を設置面に固定できる。
【００５７】
（実施の形態４の効果）
このように実施の形態４によれば、受信機本体１０をカバーする取り付けカバー６０を用いた場合においても、プラグ３０や電源プラグ７０の離脱を防止できる。さらに、コネクタカバー６２、６３を取り付けカバー６０と一体に形成しており、従来のように独立した抜け止め用の部品を用いていないので、コネクタカバー６２、６３のみをユーザが取り外すことは不可能であるためにいたずら等によるプラグ３０や電源プラグ７０の引き抜きを一層確実に防止できると共に、屋内用光受信機４の設置作業効率を向上させることができ、さらには、コネクタカバー６２、６３の取り付け忘れを防止できる。また、取り付けカバー６０に対する受信機本体１０の固定を、係止固定とネジ固定という複数の固定方法で行っているので、取り付けカバー６０から受信機本体１０を取り外すことが一層困難になり、プラグ３０や電源プラグ７０の引き抜きを一層確実に防止できる。
【００５８】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、ケーブルの抜けを完全に防止できない場合においても、この抜け止めの効果を従来より若干でも向上できている限りにおいて、本発明の課題が解決されている。
【００６０】
（各実施の形態の組合せ）
また各実施の形態にて示した構造は、相互に組合せることができる。例えば、実施の形態１の規制片を、実施の形態２にさらに加えてもよい。
【００６１】
（コネクタカバーについて）
コネクタカバーの具体的構造は、コネクタの構造に応じて変更可能である。例えば、コネクタ構造として、機器側コネクタをスライド移動することでケーブルを取り外す構造や、機器側コネクタに解除手段を設けて解除操作を行う構造を採用している場合には、ケーブル側コネクタではなく、機器側コネクタの離脱方向に規制片を延在させてそのスライドを規制するようにしてもよく、あるいは、機器側コネクタの底面や側方に規制片を延在させてその保持操作が困難になるようにすればよい。
【産業上の利用可能性】
【００６２】
この発明は、各種のケーブルを接続する必要がある電子機器に適用でき、電子機器からのケーブルの抜けを防止することに有用である。
【図面の簡単な説明】
【００６３】
【図１】本発明の実施の形態１に係る屋内用光受信機の全体斜視図である。
【図２】屋内用光受信機を示す図であって、（ａ）は正面図、（ｂ）は側面図、（ｃ）は底面図である。
【図３】屋内用光受信機の分解斜視図である。
【図４】取り付けベースを示す図であり、（ａ）は正面図、（ｂ）は底面図である。
【図５】実施の形態２に係る屋内用光受信機の全体斜視図である。
【図６】屋内用光受信機を示す図であって、（ａ）は正面図、（ｂ）は側面図、（ｃ）は底面図である。
【図７】屋内用光受信機の分解斜視図である。
【図８】取り付けベースを示す図であり、（ａ）は正面図、（ｂ）は底面図である。
【図９】実施の形態３に係る屋内用光受信機の全体斜視図である。
【図１０】屋内用光受信機を示す図であって、（ａ）は正面図、（ｂ）は側面図、（ｃ）は底面図である。
【図１１】屋内用光受信機の分解斜視図である。
【図１２】取り付けベースを示す図であり、（ａ）は正面図、（ｂ）は底面図である。
【図１３】実施の形態４に係る屋内用光受信機の全体斜視図である。
【図１４】屋内用光受信機を示す図であって、（ａ）は正面図、（ｂ）は側面図、（ｃ）は底面図、（ｄ）は上面図ある。
【図１５】底面側から見た屋内用光受信機の分解斜視図である。
【図１６】上面側から見た屋内用光受信機の分解斜視図である。
【図１７】取り付けカバーを示す図であり、（ａ）は正面図、（ｂ）は側面図、（ｃ）は底面図、（ｄ）は（ａ）のＡ−Ａ矢視断面図、（ｅ）は上面図である。
【符号の説明】
【００６４】
１、２、３、４  屋内用光受信機
１０  受信機本体
１１  筐体
１２  アダプタ
１３  接続端子
１４  ネジ穴
１５  電源アダプタ
２０、４０、５０  取り付けベース
２１、２５、６１ｅ、６１ｈ  ネジ孔
２２、２６  取り付けネジ
２３、６１ａ  係止爪
２４、６１ｄ、６１ｇ  固定片
２７、４１、６２、６３  コネクタカバー
２７ａ、４１ａ  延出片
２７ｂ、４１ｂ、６２ａ〜６２ｃ、６３ａ、６３ｂ  規制片
２７ｃ  開口部
３０  プラグ
３１  ツマミ
５１  カバーベース
５１ａ  係止突起
５２  カバーキャップ
５２ａ  開口部
５２ｂ、６１ｂ、６１ｃ、６１ｆ  スリット
６０  取り付けカバー
６１  カバー本体
７０  電源プラグ
Ｃ１  光ファイバ
Ｃ２  同軸ケーブル
Ｃ３  電源ケーブル
【図１】
0004842643.tif 000002
【図２】
0004842643.tif 000003
【図３】
0004842643.tif 000004
【図４】
0004842643.tif 000005
【図５】
0004842643.tif 000006
【図６】
0004842643.tif 000007
【図７】
0004842643.tif 000008
【図８】
0004842643.tif 000009
【図９】
0004842643.tif 000010
【図１０】
0004842643.tif 000011
【図１１】
0004842643.tif 000012
【図１２】
0004842643.tif 000013
【図１３】
0004842643.tif 000014
【図１４】
0004842643.tif 000015
【図１５】
0004842643.tif 000016
【図１６】
0004842643.tif 000017
【図１７】
0004842643.tif 000018